(57)【要約】      （修正有）【課題】ドアの捩れによってキャリアプレートがガイドレールから外れることがないウインドレギュレータを提供する。【解決手段】車両の窓ガラスに連結されるキャリアプレート２と、キャリアプレート２の昇降を案内するガイドレール１と、ガイドレール１の一端に設けられた方向転換部材と、駆動部と、キャリアプレート２に一端が連結され、方向転換部材を経て他端が駆動部に連結された上昇用インナーケーブルと、キャリアプレート２に一端が連結され、他端が駆動部に連結された下降用インナーケーブルと、を備えたウインドレギュレータにおいて、ガイドレール１は柱状であり、キャリアプレート２は、ガイドレール１が挿通され、ガイドレール１を周回り方向に囲周する挿嵌部を有するウインドレギュレータを用いる。【選択図】図１
2013096150.tif 000002
【特許請求の範囲】
【請求項１】
車両の窓ガラスに連結されるキャリアプレートと、
前記キャリアプレートの昇降を案内するガイドレールと、
前記ガイドレールの一端に設けられた方向転換部材と、
駆動部と、
前記キャリアプレートに一端が連結され、前記方向転換部材を経て他端が前記駆動部に連結された上昇用インナーケーブルと、
前記キャリアプレートに一端が連結され、他端が前記駆動部に連結された下降用インナーケーブルと、
を備えたウインドレギュレータにおいて、
前記ガイドレールは柱状であり、
前記キャリアプレートは、前記ガイドレールが挿通され、前記ガイドレールを周回り方向に囲周する挿嵌部を有する
ウインドレギュレータ。
【請求項２】
前記ガイドレールには、車両の前後方向に面し、長さ方向に延在する２つの前後方向面を有し、
前記挿嵌部の内側には、前後方向面と摺接する摺接面を有し、
前記前後方向面が車両の前後方向軸と略垂直に交わることと特徴とする
請求項１に記載のウインドレギュレータ。
【請求項３】
前記ガイドレールには、車両の前後方向に面し、長さ方向に延在する２つの前後方向面と、車両の車幅方向に面し、長さ方向に延在する２つの幅方向面とを備え、
前記挿嵌部の内側には、前記ガイドレールと前記キャリアプレートとが摺動するように前記前後方向面と前記幅方向面とにそれぞれ摺接する摺接面を備えた
請求項１または２に記載のウインドレギュレータ。
【請求項４】
前記ガイドレールが、中空であり、横断面の外周が略四角形状である請求項１〜３に記載のウインドレギュレータ。
【請求項５】
前記ガイドレールが剛性を有し、
前記幅方向面と摺接面との間の遊びを有し、
前記幅方向面と前記摺接面との間の遊びを有し、前記前後方向面と前記摺接面との間には、遊びが無いか、前記幅方向面と前記摺接面との間の遊びに比べて小さな遊びを有することを特徴とする請求項３または４に記載のウインドレギュレータ。
【発明の詳細な説明】
【技術分野】
【０００１】
本発明は、車両などに取り付けられ、ガラスを昇降させるウインドレギュレータに関する。
【背景技術】
【０００２】
車両の窓ガラスは、窓ガラスを昇降させるためにドアパネル内に設けられたウインドレギュレータにより開閉される。このようなウインドレギュレータは、例えば、窓ガラスを指示するキャリアプレートと、キャリアプレートに一端が係止された１対のインナーケーブルと、当該１対のケーブルの他端が係止されたドラムと、当該ドラムを駆動させるモータ等の駆動部とにより構成することができる。この場合、キャリアプレートとドラムの間に配索されるケーブルは、プーリ等の方向転換部材に掛け渡されて方向転換される。
【０００３】
このようなウインドレギュレータとしては、たとえば、特許文献１のようなウインドレギュレータがある。そのウインドレギュレータの構成は、図５に示すように、ガイドレール１０１の下端に駆動部であるモータ１０２が取り付けられたハウジング１０３が設けられ、上端に方向転換部材（プーリ）１０４が設けられており、さらに、ガラスホルダ（図示せず）を介してガラスが取り付けられるキャリアプレート１０５がガイドレール１０１に摺動可能に取り付けられたウインドレギュレータ１００がある。キャリアプレート１０５には上昇用インナーワイヤ１０６と下降用インナーワイヤ１０７との一端のワイヤエンド（図示せず）がそれぞれ取り付けられ、上昇用インナーワイヤ１０６と下降用インナーワイヤ１０７との他端のワイヤエンド（図示せず）がそれぞれモータ１０２により正逆回転可能に駆動されるドラム（図示せず）に取り付けられている。ガイドレール１０１の中央付近には、センターブラケット１０８が取り付けられ、さらにセンターブラケット１０８の先端にはインナーガイド１０９が取り付けられている。
【０００４】
ガイドレール１０１とキャリアプレート１０２との取付状態は、通常、図５のウインドレギュレータのＡ−Ａ断面図である図６に示すように、板状体に曲げ加工がなされたガイドレールの両側の端部に対してキャリアプレートが係止している。ガイドレール１０１は、幅方向Ｗに水平で長さ方向Ｌに延在する水平端部１０１１を有し、幅方向Ｗの反対側に端が折り曲げられて長さ方向Ｌに延在する折曲端部１０１２を有し、さらに水平端部１０１１近傍には、ガイドレールの長さ方向Ｌに延在する凸条状の折重部１０１３を有し、ガイドレール１０１の幅方向Ｗにおける折曲端部１０１２と折重部１０１３との間には、平坦なレール本体部１０１４を有している。一方、キャリアプレート１０２には、水平端部１０１１を係止する第一係止部１０２１、折重部１０１３を収容して摺動する摺動溝１０２２、並びに折曲端部１０１２と係止する第二係止部１０２３とを備えている。キャリアプレート１０２はガイドレール１０１の折重部側から取り付けられて本体部１０１４の一方側を覆っている一方。ガイドレール本体部１０１４の折重部１０１３と反対側については開口したオープンな形状となっている。そのため、車体及び／またはウインドレギュレータの剛性が現状と同等よりも低下した場合に、ガイドレール１０１が板状であるために捻じれ易く、キャリアプレート１０２がガイドレールか１０１から外れる場合がある。
【先行技術文献】
【特許文献】
【０００５】
【特許文献１】実用新案登録第３１１８２３７公報
【発明の概要】
【発明が解決しようとする課題】
【０００６】
このようなウインドレギュレータは、現在のようにドア自体の強度が高く、ドアの捩れが少ない場合には問題を生じることがなく、ウインドレギュレータとしての機能を十分に発揮することができる。しかし、近年、省エネルギー省・電力などの要請から低燃費の要望が強く、その要望を実現のための車体の軽量化のために、従来から用いていた材質の使用量の削減や別材質への転換などが図られている。このように車体の軽量化が図られると、車両の剛性が低下する場合があり、ウインドレギュレータへの負担も大きくなる場合があり、また、ウインドレギュレータ自体の軽量化の要望のためにねじり剛性の低下が生じる場合があり、そのためウインドレギュレータの捩れが生じやすくなる虞がある。このようなウインドレギュレータの捩れの防止のために、横断面を中空の四角柱とするなどのガイドレールを閉断面とすることが考えられる。
しかし、キャリアプレートの取り付け部分がオープン形状であると、上記のような軽量化に由来する捩れに対して弱く、またドアの捩れによってガラスとドアとの互いに助長する力が発生する場合もあるので最悪の場合にはキャリアプレートがガイドレールから容易に外れてしまうことも考えられる。
【０００７】
本発明は、ドアの捩れによってキャリアプレートがガイドレールから外れることがないウインドレギュレータを提供することを目的とする。
【課題を解決するための手段】
【０００８】
上記目的を達成するために、本発明のウインドレギュレータは、車両の窓ガラスに連結されるキャリアプレートと、前記キャリアプレートの昇降を案内するガイドレールと、前記ガイドレールの一端に設けられた方向転換部材と、駆動部と、前記キャリアプレートに一端が連結され、前記方向転換部材を経て他端が前記駆動部に連結された上昇用インナーケーブルと、前記キャリアプレートに一端が連結され、他端が前記駆動部に連結された下降用インナーケーブルと、前記ガイドレールに取り付けられ、前記インナーケーブルが挿通されるインナーガイドとを備えたウインドレギュレータにおいて、前記ガイドレールは柱状であり、前記キャリアプレートは、前記ガイドレールが挿通され、前記ガイドレールを周回り方向に囲周する挿嵌部を有することを特徴としている。
【発明の効果】
【０００９】
上記のウインドレギュレータは、キャリアプレートのガイドレールへの取り付け部分を、ガイドレールが挿通され、ガイドレールを周回り方向に囲周する挿嵌部とすることで、ガイドレールとキャリアプレートの双方が閉断面となり、そのことでドアの剛性が低下した場合であっても、剛性の向上と最悪時のキャリアプレートの脱落を抑制することができることとなる。しかも、サッシュレスの場合にはより効果がある。
【図面の簡単な説明】
【００１０】
【図１】（ａ）は、本発明のウインドレギュレータの一実施形態における、ガイドレールとキャリアプレートとの取付状態を模式的に示す正面図である。（ｂ）は、図１（ａ）のガイドレールとキャリアプレートの取付状態について矢印Ｖ方向で見た側面図である。
【図２】（ａ）は、図１のキャリアプレートの上面図である。（ｂ）は図２（ａ）のキャリアプレートの底面図である。
【図３】図１のガイドレールの横断面図である。
【図４】図１のガイドレールとキャリアプレートとの取付状態におけるＡ-Ａ断面図である。
【図５】従来のウインドレギュレータの正面図である。
【図６】図５のウインドレギュレータのＡ-Ａ断面における図５の上方から見た模式図である。
【発明を実施するための形態】
【００１１】
以下、本発明のウインドレギュレータを図を用いて説明するが、本発明のウインドレギュレータはではこれらに限定されるものではない。
【００１２】
図１は、本発明のウインドレギュレータについての一実施形態におけるガイドレールとウインドレギュレータとの取付状態を示す模式図であり、図１（ａ）に示すように、ガイドレール１にキャリアプレート２が取り付けられている。ガイドレール１には、さらに、図１（ａ）上側の端部には上端ブラケット３が取り付けられ、下端には下端ブラケット４が取り付けられている。キャリアプレート２は、ガラスホルダを介するなどをして車両の窓ガラスに連結され、ガイドレール１はキャリアプレート１の昇降を案内する。上端ブラケット３は、螺子孔５を有し、インナーパネル等のドアにおける所定の位置に取り付けられるものであるが、一端がキャリアプレート２に連結され、他端が前記駆動部に連結された上昇用インナーケーブルが掛架される方向転換部材が取り付けられてもよい。下端ブラケット４は、螺子孔６を有し、インナーパネル等のドアにおける所定の位置に取り付けられるものであるが、上述の従来技術のように、ドラムとモータとを有する駆動部がハウジングを介して取り付けられてもよいし、一端がキャリアプレート２に連結され他端が駆動部に連結された下降用インナーケーブルが掛架される方向転換部材が取り付けられてもよい。これらのような従来公知のウインドレギュレータの機構に、図１のガイドレールとキャリアプレートとの取付構造を適用することにより、図１とウインドレギュレータ２はガイドレール１を摺動移動することができる。なお。ガイドレール１は、上述のように車両のドアに取り付けられることから、インナーパネルの形状等の取付部位における形状に追随し、所定の距離でインナーパネル等からオフセットする必要があるので、図１（ｂ）のように湾曲した形状となっている。また、前記方向転換部材については、上記ブラケットへの取付方法が特に限定されるものではなく、公知の設置方法により上述のブラケットに取り付けることができる。
【００１３】
キャリアプレート２は、ガラスホルダを介する等してガラスが取り付けられる取付孔７ａ、７ｂを有しているが、図２（ｂ）の底面図において示すように、挿嵌部２１を有し、挿嵌部２１は、ガイドレール１が挿通され、ガイドレール１を周回り方向に囲周するものである。キャリアプレート２は、上述のような下降用インナーケーブルの一端に設けられたケーブルエンドが取り付けられるケーブルエンド収容部２２を有し、同様に、図２（ｃ）に示すように、上昇用インナーケーブルの一端に設けられたケーブルエンドが取り付けられるケーブルエンド収容部２３をも有している。さらに、キャリアプレート２には、上述のインナーガイドと同様に上昇用インナーケーブルが挿通されるケーブル挿通孔２４をも有している。ケーブル挿通孔２４は、キャリアプレート２に設けられ、前記インナーケーブルが挿通されて前記インナーケーブルをガイドするものであれば特に限定されるものではない。ケーブル挿通孔２４を前記インナーケーブルと摺接するように設け、キャリアプレート２が昇降する際にケーブル挿通孔２４が前記インナーケーブルと摺動することにより、前記インナーケーブルの振動による異音の発生を抑制することができる。
【００１４】
ガイドレール１は、図１に示すように柱状であり、インナーパネル等に取り付けられた際に車両の前後方向となる図１（ａ）の方向ｗに所定の幅を有し、インナーパネル等に取り付けられた際に車幅方向となる図１（ｂ）の方向ｔに所定の厚さを有している。ガイドレール１は、図３に示すように、さらに内部空間１３を有する中空であって、横断面が略四角形状（略長方形）であり、車両前後方向ｗに面する２つの対向しガイドレールの長さ方向Ｌに延在した前後方向面１１を有し、車両幅方向ｔに面する２つの対向しガイドレールの長さ方向Ｌに延在したた幅方向面１２を有している。
【００１５】
ここで、キャリアプレート２の挿嵌部２１が、図２（ｂ）に示すように、その内側に前後方向面１１および幅方向面１２とそれぞれ摺接する４つの摺接面２５を有している。そのため、図１（ａ）上側から見たＡ−Ａ断面図である図４に示すように、ガイドレール１とキャリアプレート２とが嵌合構造を形成している。上述の公知のキャリアプレートでは、ガイドレールを囲周することがないので、ガイドレールの湾曲のための複雑な捩じれによって軽量化に伴うキャリアプレートの外れの虞があり、ガイドレールがガイドレールを囲周するキャリアプレートの挿嵌部との嵌合構造を有していないためにガイドレールの捻じ曲がりの虞があるが、本発明のウインドレギュレータでは、このようなガイドレール１とキャリアプレート２との挿嵌構造を有していることから、軽量化に伴う捩れによってガイドレール１とキャリアプレート２が外れることがない。さらに、ガイドレール１が前後方向面１１と幅方向面１２とを有し、キャリアプレートがこれらの面と摺接する摺接面２５を有していることから、ガイドレール１が捩じれた際に摺接面２５が前後方向面１１または幅方向面１２と接し、ガイドレールに与えられた捩れ方向の力を前後方向面１１または幅方向面１２を介して摺接面２５に受けるので、ガイドレール１がキャリアプレート２に対して相対的に回動することによる、キャリアプレート２がガイドレール１に対して摺動可能な嵌合状態から外れてしまうことを抑制することができる。また、ガイドレールが略四角形状であることにより、前後方向面１１と幅方向面１２との成す角が少なくとも１つ以上で直角もしくは鋭角であるため、上述のキャリアプレート２がガイドレール１に対して摺動可能な嵌合状態から外れてしまうことをさらに抑制することができる。特に、本発明のウインドレギュレータは、ガイドレール１の１対の前後方向面１１が車両の前後方向の軸Ｘと略垂直に交わるであることにより、前後方向面とそれに摺接する摺接面２５とが接触して、捩じれによる力を前後方向面１１と摺接面２５が受けて、ガイドレール１の剛性によりウインドレギュレータの捩じれを防止することができる。
【００１６】
また、本発明のウインドレギュレータは、上述の捩じれに対抗するガイドレール１の剛性を有しているため、ガイドレール１が湾曲している場合には、幅方向面１２と摺接面２５との間に間隔２６を有することが好ましい。ガイドレール１が湾曲している場合には、ドア側に設けられたガラスランに規制されるなどのガラスの直線的な軌跡と、キャリアプレートの湾曲した移動の軌跡とが異なるために、間隙２６で生じたキャリアプレート２とガイドレール１との間にガタにより、キャリアプレート２が車幅方向に向きを変えることができるので、ガラスの軌跡とキャリアプレートの移動軌跡との差を間隙２６によって吸収して、ガイドレール１が捩じれに抗する剛性を有する場合であっても、ガラスの昇降に支障をきたすことが無い。つまり、ガイドレール１とキャリアプレート２との間に間隙２６を有する場合には、間隙２６によって幅方向面１２と摺接面２５との間の遊びを有し、前後方向面１１と摺接面２５との間には、遊びが無いか、幅方向面１２と摺接面２５との間の遊びに比べて小さな遊びを有することが好ましい。前後方向面１１と摺接面２５との間にはキャリアプレート１とガイドレール２と摺動可能とする程度の若干の遊びがあってもよく、ドアに捩じれ生じる場合には前後方向面１１と摺接面２５とが接触してキャリアプレートとガイドレールとが嵌合することにより捩じれに抗し、前記の若干の遊びによりキャリアプレート１とガイドレール２とが円滑に摺動することができる。
【００１７】
本発明のウインドレギュレータにおいて、ガイドレール、キャリアプレートにおいて材質が特に限定されるものではない。前記ガイドレールは、ドアの捩れを受けることから、金属製であることが好ましく、ガイドレールが中実柱状であっても良いが、軽量化目的であることから内腔が長さ方向に延在する中空であることがより好ましく、材質がアルミ合金などの軽合金であることが特に好ましい。また、前記キャリアプレートについても、材質が特に限定されるものではないが、捩れに抗することから、硬質材料であることが好ましく、軽量化目的であることからＰＯＭ等の硬質樹脂であることがより好ましい。なお、本発明のウインドレギュレータは、上述のようなガイドレールとキャリアプレートとの取付構造に特徴を有し、この取付構造を上述の従来技術のような公知のウインドレギュレータの構成に適用することで、具体的なウインドレギュレータの構成として実施することができる。
【産業上の利用可能性】
【００１８】
上述のように、本発明のウインドレギュレータは、ドアの捩れに対してガイドレールとキャリアプレートとの外れを抑制することができるので、軽量化されたドアに好適に用いることができ、特に薄厚化された車両ドアまたは炭素繊維などの樹脂材料を主材料とする車両ドアに用いられるウインドレギュレータに好適に用いることができる。
【符号の説明】
【００１９】
１      ガイドレール
２      キャリアプレート
１１    前後方向面
１２    幅方向面
２１    挿嵌部
２５    摺接面
２６    間隙
１００  ウインドレギュレータ
１０１  ガイドレール
１０２  駆動部（モータ）
１０４  方向転換部材（プーリ）
１０５  キャリアプレート
１０６  上昇用インナーワイヤ
１０７  下降用インナーワイヤ
１０８  センターブラケット
１０９  インナーガイド
【図１】
2013096150.tif 000003
【図２】
2013096150.tif 000004
【図３】
2013096150.tif 000005
【図４】
2013096150.tif 000006
【図５】
2013096150.tif 000007
【図６】
2013096150.tif 000008